(57)【要約】      （修正有）【課題】参拝者が札所の順番に拘ることなく、巡礼および集印することができる上、朱印帳を持参せず何れの札所を訪れても、互いに統一性をもった形状および寸法の朱印札を授与されるものとなり、しかも、各寺務所、社務所や住職、宮司などが、札用紙に対する墨書きの位置、および朱印の押印位置などを迷うことなく決定し、より速やかに朱印札を作成することができる新たな朱印札用の札用紙技術を提供する。【解決手段】一定の縦横寸法内に収まる寸法および外郭形状に設定され、表面１０の中央に、墨書き２１されると共に、朱印２２が押印されることとなる朱印用空白範囲２が設定された札用紙１であり、該札用紙１の表面１０の朱印用空白範囲２の余となる範囲に、寺、社毎に因んだ特有の画像が予め印刷表示された既成プリント範囲が設けられてなる、この発明の朱印札８用の札用紙１である。【選択図】図３
2020151264.tif 000002
【特許請求の範囲】
【請求項１】
一定の縦横寸法内に収まる寸法および外郭形状に設定され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像または特有の文字の少なくとも何れか一方が予め印刷表示された既成プリント範囲が設けられてなることを特徴とする朱印札用の札用紙。
【請求項２】
一定の縦横寸法内に収まる寸法および外郭形状に設定され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像または特有の文字の少なくとも何れか一方が予め印刷表示された既成プリント範囲が設けられてなり、配備の対象となる複数の寺、社の夫々毎に、特有の画像または特有の文字の少なくとも何れか一方が予め印刷表示された既成プリント範囲が設けられた札用紙が備えられ、寺、社にて、表面の中央の朱印用空白範囲内に対し、墨書きおよび朱印を押印された上、参拝者に提供されることになるものとされたことを特徴とする朱印札用の札用紙。
【請求項３】
国際規格であるＩＳＯ２１６に規定されたＡシリーズのＡ７サイズないしＡ３サイズの何れか一の縦横寸法内に収まる寸法および四角形外郭形状に設定されると共に、配備の対象となる全ての寺、社に配備される夫々が、互いに同一の外郭寸法、形状に統一され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社、本尊、本殿など毎に因んだ特有の画像または特有の文字の少なくとも何れか一方が予め印刷表示された既成プリント範囲が設けられてなることを特徴とする朱印札用の札用紙。
【請求項４】
札用紙の全体か、または札用紙の表面の朱印用空白範囲かの何れか一方が、墨および印の吸収が良い上質紙または和紙の何れか一方からなるものとされた、請求項１ないし請求項３何れか一記載の朱印札用の札用紙。
【請求項５】
札用紙の表面の朱印用空白範囲と既成プリント範囲との境界に沿って境界表示枠が、印刷表記されたものとしてなる、請求項１ないし請求項４何れか一記載の朱印札用の札用紙。
【請求項６】
札用紙と同一の寸法、形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色に印刷表示された台紙として、請求項１ないし請求項３何れか一記載の朱印札用の札用紙に添付されてなる、請求項１ないし請求項４何れか一記載の朱印札用の札用紙を具備した札用紙組。
【請求項７】
札用紙と同一の寸法および外郭形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色にて印刷表示されると共に、札用紙の裏面が積層状に重ね合わせられることとなる表面に、札用紙の既成プリント範囲に表示された画像の輪郭または文字の輪郭の少なくとも何れか一方に対応する位置合わせ用の輪郭表示部が、札用紙の裏面から表面に透視可能な濃色にて印刷表示された台紙として、請求項１ないし請求項４何れか一記載の朱印札用の札用紙に添付されてなる、請求項１ないし請求項４何れか一記載の朱印札用の札用紙を具備した札用紙組。
【請求項８】
台紙の表面に対し、札用紙の裏面が重ね合わせられ、台紙および札用紙の上端縁同士、左端縁同士、右端縁同士、下端縁同士の少なくとも何れか一が分離容易に結合され、一綴りにされてなるものとした、請求項６または請求項７何れか一方記載の札用紙組。
【発明の詳細な説明】
【技術分野】
【０００１】
この発明は、寺院や神社などから参拝者に、参拝や納経などの証として授与される朱印札の技術に関連するものであり、特に、朱印札用の札用紙を製造、提供する分野は勿論のこと、その輸送、保管、組み立て、展示および授与に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                
【背景技術】
【０００２】
（着目点）
西国三十三所霊場詣や四国八十八箇所霊場詣に代表される霊場巡りは、巡礼者が、屏風折りの折り本とされたものや、和綴じとされたものなどの朱印帳や納経帳、集印帳などを持参し、これに寺務所や、社務所の職員や住職、宮司などが、墨書きすると共に、朱印を押印して頂き、訪れた寺社毎に集印しながら巡礼するというのが一般的なものとなっている。
【０００３】
こうした集印は、参拝者が、事前に朱印帳や納経帳、集印帳などを文房具店や百貨店などで事前に購入し、持参するか、または、訪れた寺院や神社などで購入する必要があり、例えば、複数の寺院や神社を巡礼中に、朱印帳を忘れてしまい、持参することができなかったような場合には、やむなく新たに朱印帳を購入するなどの対応をしなければならず、本来ならば一冊に纏めて集印できたはずのものが、二冊、三冊と増えてしまい、残念な結果になってしまうことがあった。
【０００４】
また、不要に朱印帳が増えてしまうのを好まない巡礼者や、はじめから朱印帳を持たない参拝者などの場合には、寺院や神社に備えられている薄い一枚の和紙に朱印を頂くこととなるが、こうして単独で頂く朱印札は、白紙に墨書き、朱印するものとなるから、集印した多数の朱印札は、互いに似通っていて、一般の参拝者には、どの寺院、神社の朱印札なのか見分けるのが困難なものであった。
さらに、一冊の朱印帳に寺院と神社の朱印が混在していたり、宗派の異なる朱印が存在したりしている場合などに、宗教上の理由によって押印を断られてしまうことがあるなど、参拝者の希望どおりに一冊の朱印帳に集印することができない場合があった。
【０００５】
（従来の技術）
こうした状況を反映し、その打開策となるような提案もこれまでに散見されない訳ではない。
例えば、下記の特許文献１（１）に提案されているものに代表されるように、手ぬぐい生地に、仏像模様や円形模様を設けて、そこに当該寺院の仏像図や寺院名を押印することができるようにされた朱印帳となる手ぬぐいや、特許文献１（２）に見られるような、尊格像とそれらの周辺を飾る絵柄とが織り出されてなるタペストリー式織物シートと、前記織物シートに、その尊格像の周辺において表示された、掛軸所蔵者を示す家紋及び名称と、前記織物シートの上端に固着された支持軸と、前記織物シートの下端に固着された巻軸とから構成された掛け軸などが散見されるが、単独で手ぬぐいや掛け軸の独特の形態をなしているような朱印札類は、巡礼先の寺院や神社毎に異なる形状、寸法のものとなることが多く、巡礼者が集印した複数の朱印札に全体的統一感をもって体裁良く保管したり、整然と展示したりするのが難しいという欠点があった。
【０００６】
また、特許文献１（３）に示されているように、表紙と、表紙に綴じられその表面に低粘着性の粘着層を有する複数の台紙と、台紙に剥離自在に貼着される透明シートとを備え、台紙と透明シートとの間に朱印札を挟むことができるものとされた朱印帳や、特許文献１（４）に開示されているもののように、おもて表紙とうら表紙と２枚重ねの内紙をパーツとしてなるジャバラ式収集帳であって、パーツとしてのおもて表紙、うら表紙、２枚重ねの内紙に連結手段を備えているジャバラ式収集帳、特許文献１（５）のように、芯に巻かれた連続する１枚の巻き紙が用いられ、その繰り出し外層端部から順次に整然と、１個ずつ同等形態の集中的並記単位として、遍路旅の行き先順序記号とその記号により教示される札所名、並びにその札所毎に由来する詠歌とを何れも墨で筆書きした如き文字によって印刷されたものであると共に、その単位群の隣り合う相互間に札所毎に宝印押捺用又は感想記録用空白が一定な大きさとして画成され、上記順序記号に従って自ずと繰り出し使用できるよう定められた巡礼用の集印巻、特許文献１（６）に示されるような、所定数の用紙を連綴してなる納経帳において、各葉に参拝すべき寺院等の本尊の真言が記載されてなる納経帳などが散見される。
【０００７】
前記特許文献１（３）および１（４）に示されているような各種の朱印帳類は、寺院や神社などに備えられている薄い一枚の和紙に頂いた朱印札を集印するのに適しており、参拝者の都合によって自由に、朱印札の配列を差し替えることができるものとなっており、また、前記特許文献１（５）および１（６）に示されているような朱印帳類は、予め、巡礼の順序に従い、札所毎の朱印用の空白範囲が整然と配され、しかも、札所毎に設定された朱印用の空白範囲に隣り合う位置に、札所毎に由来する詠歌や札所毎の本尊の真言などが記載されたものとなっているから、一般的な参拝者にも朱印毎に何れの寺院または神社のものなのかが明確に理解できるという利点を備えているものとなっているが、何れの朱印帳の場合にも、朱印札、または朱印帳の朱印用の空白範囲の中の、何れの位置に墨書きし、朱印するのかが明確に示されておらず、墨書きの位置や朱印を押印する位置などは、各寺務所、社務所の職員や住職、宮司などの任意によって文字や朱印の配置のバランスなどを慎重に考えながら行われなければならないものとなっていて、朱印を発行する作業が大きな負担となってしまう虞があった。                                                                                  
【特許文献１】（１）実用新案登録第３０８０４７７号公報    （２）実用新案登録第３０６６９７０号公報    （３）実用新案登録第３１９９２７８号公報    （４）実用新案登録第３１９５５０３号公報    （５）実公昭５８−２３６６４号公報    （６）実開平６−５２６６６号公報
【発明の概要】
【発明が解決しようとする課題】
【０００８】
（問題意識）
上述したとおり、従前までに提案のある各種の朱印札は、札所に備えられている札用紙類の素材やデザインなどが札所毎に大きく異なってしまうことが多く、巡礼しながら各札所から頂く朱印札の形状や寸法に統一性をもって整然と整理、集印するのが難しいものとなっており、また、各寺務所、社務所の職員や住職、宮司などが、札用紙類に対して墨書きし、朱印を押印する際には、札用紙類に対する墨書きや朱印の位置などに細かな取り決めが特になされている訳ではないから、墨書きの大きさや配置、および朱印の配置などのバランスを熟慮の上、慎重且つ丁寧に墨書きおよび朱印の押印を行わなければならず、寺院や神社などの各札所の作業負担が大きく、しかも大勢の参拝者が同時に朱印札の授与を希望した場合には、長い待ち時間が発生してしまうという欠点があり、複数の札所の何れを訪れた場合にも、統一された形状および寸法の朱印札を、統一性をもって収集することができる上、各寺務所、社務所の職員や住職、宮司などが、朱印札や朱印帳に墨書きや朱印の押印を行う際の、作業負担を軽減し、作業効率を改善することができる朱印札用の札用紙の構成につき、更なる改善の必要性を痛感するに至ったものである。
【０００９】
（発明の目的）
そこで、この発明は、参拝者が札所番号順の巡礼に拘ることなく、参拝および集印することができる上、朱印帳を持参せず何れの札所を訪れても、互いに統一性をもった形状および寸法の朱印札が授与されるものとなり、しかも、各寺務所、社務所の職員や住職、宮司などが、札用紙に対する墨書きの位置、および朱印の押印位置などを迷うことなく決定し、より速やかに朱印札を作成することができる新たな朱印札用の札用紙技術の開発はできないものかとの判断から、逸速くその開発、研究に着手し、長期に渡る試行錯誤と幾多の試作、実験とを繰り返してきた結果、今回、遂に新規な構造の朱印札用の札用紙、およびそれを具備した新規な構造の札用紙組を実現化することに成功したものであり、以下では、図面に示すこの発明を代表する実施例と共に、その構成を詳述することとする。                            
【課題を解決するための手段】
【００１０】
（発明の構成）
図面に示すこの発明を代表する実施例からも明確に理解されるように、この発明の朱印札用の札用紙は、基本的に次のような構成から成り立っている。
即ち、一定の縦横寸法内に収まる寸法および外郭形状に設定され、表面の中央に、墨および印の吸収が良い紙製であって、寺名、社名、本尊の名称、本殿の名称の少なくとも何れか一つ、および、参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像、または、特有の文字の少なくとも何れか一方が予め印刷表示された既成プリント範囲が設けられてなる構成を要旨とする朱印札用の札用紙である。
【００１１】
この基本的な構成からなる朱印札用の札用紙は、その表現を変えて示すならば、一定の縦横寸法内に収まる寸法および外郭形状に設定され、表面の中央に、墨および印の吸収が良い紙製であって、寺名、社名、本尊の名称、本殿の名称の少なくとも何れか一つ、および、参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像、または、特有の文字の少なくとも何れか一方が予め印刷表示された既成プリント範囲が設けられてなり、配備の対象となる複数の寺、社の夫々毎に特有の画像または特有の文字の少なくとも何れか一方が予め印刷表示された既成プリント範囲が設けられた札用紙が、各寺、社に備えられ、各寺、社にて、表面の中央の朱印空白範囲内に対し、墨書きおよび朱印を押印された上、参拝者に提供されることになるものとされた構成からなる朱印札用の札用紙となる。
【００１２】
より具体的には、横３００×縦６００ｍｍの縦横寸法内に収まる寸法や、この寸法内に収まる四角形その他外郭形状に設定されると共に、配備の対象となる全ての寺、社に配備される夫々が、互いに同一の外郭寸法、形状に統一され、表面の中央に、墨および印の吸収が良い紙製であって、寺名、社名、本尊の名称、本殿の名称の少なくとも何れか一つ、および、参拝年月日が墨書きされると共に、朱印が押印されることとなる朱印用空白範囲が設定された札用紙であり、該札用紙の表面の朱印用空白範囲の余となる範囲に、寺、社、本尊、本殿など毎に因んだ特有の画像、または、特有の文字の少なくとも何れか一方が予め印刷表示された既成プリント範囲が設けられてなる構成からなる朱印札用の札用紙であるということができる。
【００１３】
（関連する発明１）
上記した朱印札用の札用紙に関連し、この発明には、それを利用した札用紙組も包含している。
即ち、この発明の基本をなす札用紙と同一の寸法、形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色に印刷表示されたものとしてなる台紙が、この発明の基本をなす朱印札用の札用紙に添付されたものとしてなる、この発明の基本をなす朱印札用の札用紙を具備した札用紙組である。
【００１４】
この札用紙組を、表現を変えて示すと、この発明の基本をなす札用紙と同一の寸法および外郭形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色にて印刷表示されると共に、札用紙の裏面が積層状に重ね合わせられることとなる表面に、札用紙の既成プリント範囲に表示された画像の輪郭、または、文字の輪郭の少なくとも何れか一方に対応する位置合わせ用の輪郭表示部が、札用紙の裏面から表面に透視可能な濃色にて印刷表示されたものとしてなる台紙が、この発明の基本をなす朱印札用の札用紙に添付されたものとしてなる、この発明の基本をなす朱印札用の札用紙を具備した札用紙組ということができる。                                                                          
【発明の効果】
【００１５】
以上のとおり、この発明の朱印札用の札用紙によれば、従前までのものとは違い、上記したとおりの固有の特徴ある構成から、巡礼の対象となる寺院や神社などの各札所毎に、予め朱印用空白範囲が設定されていると共に、札所毎に特有の画像、または、特有の文字の少なくとも何れか一方が予め印刷表示された、一定の縦横寸法内に収まる寸法および外郭形状に設定された札用紙を配備して置き、参拝者から朱印札を求められた場合に、札所の職員、住職または宮司などが、文字の配置バランスなどを検討する必要がなく、速やかに朱印用空白範囲に墨書きし、朱印を押印することができ、しかも、誰が墨書き、朱印の押印を行っても、略同様の文字の配置となり、同じ参拝者が、複数の札所の何れを訪れた場合にも、統一された形状および寸法の朱印札を、統一性をもって収印することができる上、各寺務所、社務所の職員や住職、宮司などが、朱印札に墨書きおよび朱印の押印を行う際の、作業負担を大幅に軽減し、作業効率を格段に改善して参拝者の待ち時間を短時間に留めるよう短縮化できるという秀でた特徴が得られるものである。
【００１６】
加えて、各札所に配備されることとなる、この発明の朱印札用の札用紙が、国際規格であるＩＳＯに規定されたＡシリーズのＡ７サイズないしＡ３サイズの何れか一の縦横寸法内に収まる寸法および四角形外郭形状に設定されると共に、配備の対象となる全ての寺、社に配備される夫々が、互いに同一の外郭寸法、形状に統一されたものとすることにより、巡礼者が携帯し易い寸法および形状のものとすることができる上、同じ参拝者が、複数箇所の札所を巡礼しながら、集印した場合に、各種形態のファイル型の朱印帳などに統一感をもって集印することが可能となり、しかも、従前までの参拝者が持参した朱印帳に対し、各札所が直接墨書き、朱印の押印を行う従来型のものと異なり、各寺院や神社毎に独立した朱印札を発行するものとなるから、宗教の違いなどの理由などによって朱印帳への朱印の押印を断られてしまうことがなくなり、さらに、札所番号順や巡礼順など、参拝者の望む順序に配列し、複数枚の朱印札を、全体的統一感をもって収集したり、展示したりすることができ、より優れた美観をもって集印し、賞美することができるものになるという特有の効果を発揮するものとなる。
【００１７】
そして、札用紙の全体が墨および印の吸収が良い上質紙または和紙の何れか一方からなるものとされた、この発明の朱印札用の札用紙は、札用紙それ自体の生産効率が良く、参拝者に授与された場合に、寺院や神社が発行した朱印札としての高い品格を充分に表現することができるものとなり、また、札用紙の表面の朱印用空白範囲が、墨および印の吸収が良い上質紙または和紙の何れか一方からなるものとされた、この発明の朱印札用の札用紙によれば、該札用紙の朱印用空白範囲の余となる範囲が、上質紙や和紙以外の、より印刷に適した素材製のものとすることができるから、より鮮明且つ多彩な画像表現や紙質表現が成されたものとすることが可能になるという特段の効果が得られるものになる。
【００１８】
また、札用紙の表面の朱印用空白範囲と既成プリント範囲との境界に沿って境界表示枠が、印刷表記されたものとしてなる、この発明の朱印札用の札用紙によると、該札用紙の単独の状態にあっても、定規類を要さずに、誰でも簡単且つ確実に朱印用空白範囲を目視確認することができるものとなるから、該札用紙が配備された札所の何れの職員、住職または宮司であっても、一定の範囲に墨書きおよび朱印の押印をすることができるものとなり、参拝者に対し、より簡単且つ効率的に一定品質の朱印札の発行ができるものになる。
【００１９】
さらに、この発明の朱印札用の札用紙を具備した札用紙組によれば、札用紙の裏面に台紙の表面が接する積層状に重ね合わせ配置されたものとなり、該台紙の表面の記入範囲表示部が、該札用紙の裏面から表面に透けて、該札用紙の表面に実際には印刷されていない朱印用空白範囲が、透視可能に表示されることとなるから、該札用紙の表面に朱印用空白範囲が印刷表示されたものと同様に、該札用紙が配備された札所の何れの職員、住職または宮司であっても、一定の範囲に墨書きおよび朱印の押印をすることができるものとなり、該台紙から離脱された朱印札（札用紙）のみを参拝者に対して、より簡単且つ効率的に発行できるものになり、複数の札所から参拝者に授与された朱印札は、朱印用空白範囲が表示されていないにもかかわらず、互いに統一された朱印用空白範囲内に、墨書きおよび朱印の押印が成され、一定の品質に保たれたものになり、しかも個々の朱印札に札所毎に特有の画像表現、または、特有の文字表現の少なくとも何れか一方がなされたものになる上、複数の朱印札同士が、全体的な統一感と優れた美観とをもって集印できるものになるという格別の効果が得られる。
【００２０】
そして、台紙の表面に対し、札用紙の裏面が重ね合わせられ、台紙および札用紙の上端縁同士、左端縁同士、右端縁同士、下端縁同士の少なくとも何れか一が、分離容易に結合され、一綴りとされたものとしてなる、この発明の朱印札用の札用紙を具備した札用紙組によると、台紙と札用紙とが人綴りに一体化されているから、墨書きおよび朱印の押印をする際に、台紙に対して札用紙を位置決めする操作が不要となり、より簡単、迅速且つ正確に朱印札の発行作業を行うことができるという大きな効果を奏するものとなる。                                
【発明を実施するための最良の形態】
【００２１】
上記したとおりの構成からなるこの発明の実施に際し、その最良もしくは望ましい形態について説明を加えることにする。
札用紙は、巡礼の対象となる霊場や札所である各寺務所、社務所の職員、住職、宮司などが、朱印札の授与を希望する参拝者に対し、参拝、納経の証しとして墨書きおよび朱印の押印を行った上、朱印札として提供可能となる機能を担うものであり、一定の縦横寸法内に収まる寸法および外郭形状に設定されたものとしなければならず、より具体的には、後述する実施例にも示すように、国際規格であるＩＳＯ  ２１６に規定されたＡシリーズのＡ７サイズないしＡ３サイズの何れか一の縦横寸法内に収まる寸法および四角形外郭形状に設定されると共に、配備の対象となる全ての霊場や札所に配備される夫々が互いに同一の外郭寸法、形状に統一されてなるものとするのが良い。
【００２２】
札用紙の朱印用空白範囲は、札用紙の表面の中央に、寺名、社名、本尊の名称、本殿の名称の少なくとも何れか一つ、および、参拝年月日が墨書きされると共に、朱印が押印されることを可能とする機能を担っており、墨および印の吸収が良い紙製のものとしなければならず、より具体的には、後述する実施例にも示しているように、印の吸収が良い上質紙または和紙の何れか一方からなるものとすべきであり、例えば、朱印用空白範囲を含む札用紙の全体が、印の吸収が良い上質紙または和紙の何れか一方からなるものや、札用紙の朱印用空白範囲のみに、印の吸収が良い上質紙または和紙の何れか一方が積層状に貼着、一体化されたものなどとすることができる外、朱印用空白範囲に相当する中央部分が窓枠状に刳り抜かれた札用紙の刳り抜き孔内に対し、印の吸収が良い上質紙または和紙の何れか一方が充填または嵌合状に一体化されてなるものなどとすることが可能であり、さらにまた、札用紙の表面の朱印用空白範囲と既成プリント範囲との境界に沿って境界表示枠が、印刷表記されたものとすることが可能である。
【００２３】
例えば、札用紙の既成プリント範囲が、紙の表面を特殊な薬剤でコーティングしてあり、平滑且つ光沢のあるコート紙、コート紙と同様にコーティングされているが、細かな凹凸状の表面に加工され、光沢がコート紙よりも抑えられたマット紙、および、紙自体に着色や模様などの、特殊な加工が施された特殊紙の何れか一つか、または、それらの組み合わせの何れか一方からなるものとすることができ、より具体的に示すと、札用紙の既成プリント範囲が、光沢紙、アートポスト（商品名）、マットポスト（商品名）、ケント紙（商品名）、ヴァンヌーボ（登録商標）、ハイマッキンレーアート（商品名。ハイマッキンレー：登録商標）、ハイマッキンレーポスト（商品名。ハイマッキンレー：登録商標）、エスプリコートＳＳ（商品名）、ユポ紙（商品名。ユポ：登録商標）、または、クラフト紙（商品名）の何れか一つか、または、それらの組み合わせの何れか一方からなるものとすることができる。
【００２４】
札用紙の既成プリント範囲は、札用紙の表面の朱印用空白範囲の余となる範囲に、寺院や神社毎に因んだ特有の画像、または、特有の文字の少なくとも何れか一方が予め印刷表示されたものとなる機能を分担するものであり、モノクロ表示、カラー表示、ホログラム表示などの何れか一つか、または、それらの組み合わせからなるものとすることが可能であり、オフセット印刷、凸版印刷、グラビア印刷、シルク印刷、ホログラム印刷、版画、シールやステッカー類の印刷物の貼着などの何れか一つか、または、それらの組み合わせからなるものとすることが可能であり、例えば、札用紙の表面の朱印用空白範囲の余となる範囲に、清水寺の舞台、東大寺の大仏、日光東照宮の陽明門や三猿、厳島神社の大鳥居、鹿苑寺の舎利殿（金閣）、東山慈照寺の観音殿（銀閣）、興福寺の千手観音、浅草寺の聖観世音菩薩、成田山の不動明王、その他の建築物や像、人物、動物、人工物、景色、植物、自然物、その他の絵または写真などの画像が、該朱印用空白範囲に対してバランス良く配されるようプリントされたものとすることができ、後述する実施例にも示している通り、札用紙の表面の朱印用空白範囲の余となる範囲に、例えば、日光東照宮の眠り猫および雀を模した画像がプリントされたものとすることができる。
【００２５】
札用紙の既成プリント範囲にプリントされた文字は、寺院や神社毎に因んだ特有の真言、梵字、種子、サポン、詠歌、霊場の札番号、祭事名などがプリント表示されたものとなる機能を分担し、札用紙の表面の朱印用空白範囲の余となる範囲に、バランス良く配されるようプリントされたものとするべきであり、モノクロ表示、カラー表示、ホログラム表示などの何れか一つか、または、それらの組み合わせからなるものとすることが可能であり、オフセット印刷、凸版印刷、グラビア印刷、シルク印刷、ホログラム印刷、シールやステッカー類の印刷物の貼着などの何れか一つか、または、それらの組み合わせからなるものとすることが可能である。
【００２６】
札用紙組は、この発明の基本をなす朱印札用の札用紙の表面に対し、朱印用空白範囲を表示する印刷を施すことなく、該札用紙とは別の別紙類との組み合わせから、寺院や神社にて、該札用紙の表面の中央の朱印用空白範囲内に対し、墨書きおよび朱印を押印される際に、該札用紙の表面の中央に朱印用空白範囲を明確に表示可能とする機能を担うものであり、この発明の基本をなす朱印札用の札用紙と同一の寸法および外郭形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色にて印刷表示された台紙が、この発明の基本をなす朱印札用の札用紙と組み合わせられてなるものとしなければならず、より具体的なものとして示すならば、後述する実施例にも示しているように、該台紙が、札用紙の裏面が積層状に重ね合わせられることとなる表面に、札用紙の既成プリント範囲に表示された画像の輪郭、または、文字の輪郭の少なくとも何れか一方に対応する位置合わせ用の輪郭表示部が、札用紙の裏面から表面に透視可能な濃色にて印刷表示されたものとすることが可能であり、さらに具体的には、該台紙の輪郭表示部が、モノクロ表示、カラー表示の何れか一方か、または、それらの組み合わせからなるものとすることが可能であり、オフセット印刷、凸版印刷、グラビア印刷、シルク印刷、版画などの何れかとすることが可能である。
【００２７】
台紙の記入範囲表示部は、台紙の表面に札用紙の裏面が重ね合わせられた場合に、札用紙の表面に対し、札用紙の裏面から表面に透視可能な朱印用空白範囲を表示可能とする機能を分担し、札用紙の裏面に、台紙の表面が重なり合うよう積層状の配置とされた場合に、記入範囲表示部の濃色の印刷表示が、札用紙を透して同札用紙の表面に可視化可能となるものとしなければならず、札用紙の厚みを透かして明確に見ることができる程度に、充分な濃さに印刷表示されたものとすべきであり、記入範囲表示部の全面が濃色面状に表示されたものか、または、記入範囲表示部の外周囲（札用紙の朱印用空白範囲と既成プリント範囲との境目となる枠線）のみが、濃色枠線状に表示されたものかの少なくとも何れか一方とすることができ、少なくとも記入範囲表示部、望ましくは台紙の表面の全体が、墨書きおよび押印の邪魔にならない程度の平滑面状に形成されたものとすべきであり、さらに具体的には、オフセット印刷、凸版印刷、グラビア印刷、シルク印刷、ホログラム印刷、版画、シールやステッカー類の印刷物の貼着などの何れかとすることが可能である。
【００２８】
台紙の輪郭表示部は、該台紙に対して札用紙を正確に重ね合わせ、正確に位置合わせ可能とする機能を担っていて、札用紙の裏面が積層状に重ね合わせられることとなる台紙の表面に対し、札用紙の既成プリント範囲に表示された画像の輪郭、または、文字の輪郭の少なくとも何れか一方に対応する位置合わせ用の輪郭表示部が、札用紙の裏面から表面に透視可能な濃色にて印刷表示されたものとしなければならず、札用紙の厚みを透かして見ることができる、充分な濃さに印刷表示されたものとするのが良く、札用紙の既成プリント範囲に表示された画像の輪郭内または文字の輪郭内の全体に対応する濃色面状に表示されたものか、または、札用紙の既成プリント範囲に表示された画像の輪郭または文字の輪郭の周囲縁に沿って濃色枠線状に表示されたものかの何れか一方とすることができ、望ましくは台紙の表面の全体が、墨書きおよび押印に適した平滑面状に形成されたものとするのが良く、より具体的には、オフセット印刷、凸版印刷、グラビア印刷、シルク印刷、ホログラム印刷、版画、シールやステッカー類の印刷物の貼着などの何れかとすることが可能である。
そして、台紙に対する札用紙の重ね合わせおよび位置決め操作の煩わしさを解消するよう、台紙の表面に対し、札用紙の裏面が重ね合わせられ、台紙および札用紙の上端縁同士、左端縁同士、右端縁同士、下端縁同士の少なくとも何れか一が、分離容易に結合され、一綴りとされたものとすることができる。
【００２９】
後述する実施例には示していないが、札用紙組は、札用紙と同一の寸法、形状に設定され、札用紙の表面に対し、積層状に重ね合わせられることとなる中央に、札用紙の朱印用空白範囲に対応する形状および面積の記入範囲規制窓が厚み方向に貫通されたものとしてなる保護紙が、この発明の基本をなす朱印札用の札用紙に添付されてなるものとすることが可能であり、より具体的に示すと、札用紙と同一の寸法および外郭形状に設定され、札用紙の表面に対し、積層状に重ね合わせられることとなる中央に、札用紙の朱印用空白範囲に対応する形状および面積の記入範囲規制窓が厚み方向に貫通されたものとしてなると共に、札用紙の表面に積層状に重ね合わせられた場合に、札用紙の既成プリント範囲に表示された画像の輪郭、または、文字の輪郭の少なくとも何れか一方に対応する位置合わせ用の輪郭窓が、札用紙の表面を直接視認可能とするよう開口されてなる保護紙が、この発明の基本をなす朱印札用の札用紙に添付されてなるものとし、墨書きおよび朱印の押印をする際に、札用紙の表面の朱印用空白範囲（既成プリント範囲に表示された画像または文字）を除く範囲が、保護紙によって保護され、汚損による作成ミスを未然に防止可能なものとすることができる。
【００３０】
さらに、前記保護紙の裏面に対し、この発明の基本をなす朱印札用の札用紙の表面が重ね合わせられ、保護紙および札用紙の上端縁同士、左端縁同士、右端縁同士、下端縁同士の少なくとも何れか一が、分離容易に結合され、一綴りとされたものとしてなる、この発明の基本をなす朱印札用の札用紙を具備した札用紙組とすることが可能である。
以下では、図面に示すこの発明を代表する実施例と共に、その構造について詳述することとする。                                                                                                                
【図面の簡単な説明】
【００３１】
図面は、この発明の朱印札用の札用紙、およびそれを具備した札用紙組の技術的思想を具現化した代表的な幾つかの実施例を示すものである。
【図１】朱印用空白範囲を示す境界表示枠が印刷された札用紙の表面を示す正面図である。
【図２】朱印用空白範囲に墨書きされた札用紙の表面を示す正面図である。
【図３】朱印が押印された朱印札（札用紙）の表面を示す正面図である。
【図４】朱印札が丸筒に納められる状態を示す斜視図である。
【図５】朱印札が額縁に納められる状態を示す斜視図である。
【図６】額装された朱印札を示す斜視図である。
【図７】朱印札が屏風型朱印ファイルに納められる状態を示す斜視図である。
【図８】屏風型朱印ファイルに納められた朱印札を示す斜視図である。
【図９】札用紙組の札用紙の表面を示す正面図である。
【図１０】札用紙組の台紙の表面を示す正面図である。
【図１１】台紙に札用紙が積層された札用紙組を示す正面図である。
【図１２】墨書きされた札用紙組を示す正面図である。
【図１３】朱印が押印された朱印札（札用紙組）の表面を示す正面図である。
【図１４】朱印用空白範囲や既成プリント範囲の配置が異なる札用紙組の他の例を示す正面図である。
【図１５】横長の長方形状とされた札用紙組の他の例を示す正面図である。
【図１６】正方形状とされた用紙組の他の例を示す正面図である。
【実施例１】
【００３２】
図１ないし図３に示す事例は一定の縦横寸法内に収まる寸法および外郭形状に設定され、表面１０の中央に、墨および印の吸収が良い紙製であって、寺名、社名、本尊の名称、本殿の名称の少なくとも何れか一つ、および、参拝年月日が墨書き２１されると共に、朱印２２が押印されることとなる朱印用空白範囲２が設定された札用紙１であり、該札用紙１の表面１０の朱印用空白範囲２の余となる範囲に、寺院や神社毎に因んだ特有の画像３０、または、特有の文字の少なくとも何れか一方が予め印刷表示された既成プリント範囲３が設けられてなる、この発明の朱印札用の札用紙における代表的な一実施例を示すものである。
【００３３】
それら各図からも明確に把握できるとおり、この発明の朱印札８用の札用紙１は、その全体が墨および印の吸収が良い和紙からなり、国際規格であるＩＳＯ  ２１６に規定されたＡシリーズのＡ７サイズないしＡ３サイズの何れか一の縦横寸法内に収まる寸法および四角形外郭形状に設定されており、より具体的には、例えば、横幅約２２０ｍｍ、縦約５００ｍｍの和紙からなり、同札用紙１の表面の中央には、朱印用空白範囲２が、横幅が約１３０ｍｍ、縦約１７５ｍｍに設定された、金色や黄色、オレンジ色などの黄系色の太線などの境界表示枠２０のカラープリントによって表示および区画されたものとされている。
【００３４】
そして、該札用紙１の表面の朱印用空白範囲２の余となる範囲は、既成プリント範囲３とされ、同既成プリント範囲３の該朱印用空白範囲２の右下角付近に、その一部が、朱印用空白範囲２に僅かに重なるよう、５羽の雀の画像３１が、鮮やかな色彩でカラープリントされ、さらに、該札用紙１の表面の左下隅に、眠り猫の画像３２が、鮮やかな色彩を伴ってプリントされたものとされた上、該札用紙１の表面の朱印用空白範囲２の余となる範囲であって、しかも既成プリント範囲３全体の５羽の雀の画像３１、および、眠り猫の画像３２の余となる範囲には、具体的には図示していないが、蓮唐草模様３３が、淡い薄い桃色の背景色に、淡い緑灰色の蓮の葉および蓮の蔓、淡く僅かに濃い桃色や淡く僅かに濃い黄色の蓮の花が、背景模様として全体に淡い色彩をもってプリント表示され、既成プリント範囲３の全体に何れかの画像３０（３１，３２，３３）が印刷されたものとなっている。
【００３５】
（実施例１の作用・効果）
以上のとおりの構成からなるこの発明の朱印札８用の札用紙１は、図１ないし図８に示すように、巡礼の対象となる寺院の寺務所や神社の社務所などの夫々に、この発明の基本をなす札用紙１の複数枚が備えられ、各札用紙１は、その既成プリント範囲３に各寺院や神社毎に異なり、しかも夫々の寺院や神社に因んだ特有の画像３０（３１，３２）が印刷表示されたものとされており、朱印札８を求める参拝者が訪れた場合に、各寺院の寺務所や神社の社務所の職員や住職、宮司などによって該札用紙１に墨書き２１および朱印２２の押印が行われることとなり、例えば、図１ないし図３に示すように、札用紙１の境界表示枠２０によって明確に示された朱印用空白範囲２内に、右上配置の参拝、中央に配置された○○○○宮、左がわ配置の参拝年月日の夫々の配置やバランスなどを一切迷うこと無く、速やかに墨書き２１することが可能となり、墨書き２１が乾燥した後に、朱印２２が押印されて完成されたものとなり、大勢の参拝者が一斉に朱印札８を希望した場合にも、札所に因んだ特有の画像３０（３１，３２）を有し、美観に優れた朱印札８をより迅速且つ効率的に授与することが可能となる。
【００３６】
参拝者が、授与された朱印札８を持ち運ぶ場合には、図４に示すように、筒状に丸め、この発明の札用紙１の筒状に丸めた場合の筒型外郭寸法が収納可能な内径および長さに設定された丸筒９０に収めたり、図５および図６に示すように、この発明の札用紙１の外郭寸法が収まる内部寸法の額縁９１に納めたり、図７および図８に示すように、屏風状に折り畳むことができ、両端に固い表紙が設けられ、屏風型の朱印帳のように形成され、頁毎に、この発明の札用紙１の外郭寸法が収まる内部寸法の透明な有底封筒状とされたフォルダ部が設けられた屏風型集印ファイル９２の、透明な有底封筒状とされたフォルダ部に対し、授与された朱印札８を差し替え自在に納めたりして持ち運ぶことが可能な外、図示していない和綴り本型の頁毎に、この発明の札用紙１の外郭寸法が収まる内部寸法の透明な有底封筒状とされたフォルダ部を有する朱印帳のような形態の本型ファイルや、図示していないフォト・アルバム型であって、各頁がこの発明の札用紙１の外郭寸法より僅かに大きな外郭寸法に設定された硬質な台紙からなり、各頁の全面に貼り付け、剥離を繰り返し行える弱粘着フィルムが貼着され、台紙に重ねられた朱印札８の表面に、該弱粘着フィルムが被着された状態に納めることが可能なものとされた朱印帳のような形態のフォト・アルバム型ファイルなどに納めて持ち運ぶことが可能であり、さらにまた、図示していない掛け軸型であって、上下となる両端に水平な棒が設けられた帯布の前面に、この発明の札用紙１の外郭寸法より僅かに大きな外郭寸法に設定された四角形透明シートの左右縁および底部縁が有底封筒状をなすよう貼着され、フォルダ部とされた掛け軸型のファイルに納めて持ち運ぶことが可能であり、この発明の札用紙１を用いて発行された朱印札８を収納可能なこうした各種のファイル９類は、この発明の札用紙１が備え置かれる寺院の寺務所や神社の社務所などの各札所、または、その他の文房具店や百貨店などにて陳列、販売されるものとすることが可能である。                                                                                  
【実施例２】
【００３７】
図９ないし図１３に示す事例は、国際規格であるＩＳＯ  ２１６に規定されたＡシリーズのＡ７サイズないしＡ３サイズの何れか一の縦横寸法内に収まる寸法および外郭形状に設定され、表面の中央に、墨および印の吸収が良い紙製であって、寺名、社名、本尊の名称、本殿の名称の少なくとも何れか一つ、および、参拝年月日が墨書きされると共に、朱印２２が押印されることとなる朱印用空白範囲２が設定された札用紙１であり、該札用紙１の表面１０の朱印用空白範囲２の余となる範囲に、寺院や神社毎に因んだ特有の画像３０、または、特有の文字の少なくとも何れか一方が予め印刷表示された既成プリント範囲３が設けられてなる、この発明の朱印札８用の札用紙１に対し、該札用紙１の裏面１１が積層状に重ね合わせられることとなる表面５０の中央に記入範囲表示部６が、該札用紙１の裏面１１から表面１０に透視可能な濃色に印刷表示されたものとしてなる台紙５が添付されたものとしてなる、この発明の基本をなす朱印札８用の札用紙１を具備した札用紙組における代表的な他の実施例を示すものである。
【００３８】
札用紙組４の札用紙１は、前記実施例１に示されたものと基本的に同一の構造のものとされているが、蓮唐草模様３３が朱印用空白範囲２および既成プリント範囲３を含む該札用紙１の表面の全面の背景柄としてプリントされたものとすることが可能である外、蓮唐草模様３３が全く設けられていないもの、または、朱印用空白範囲２の周囲の既成プリント範囲３に印刷された蓮唐草模様３３が、朱印用空白範囲２に向かうに従って次第に薄くなり、朱印用空白範囲２に達する付近で白紙状に消えた状態にプリントされたものなどとすることができる。
【００３９】
札用紙組４の台紙５は、札用紙１と同一の寸法および外郭形状に設定され、該札用紙１の裏面１１が積層状に重ね合わせられることとなる表面５０の中央に、該札用紙１の朱印用空白範囲２に対応する形状および面積の記入範囲表示部６が、該札用紙１の裏面１１から表面１０に透視可能な例えば黒色や灰色、紫色、茶色、黄色、緑色、赤色などの濃色の図示しない四角形枠線、または、図１０中に斜線で示す四角面にて印刷表示されると共に、該札用紙１の裏面１１が積層状に重ね合わせられることとなる表面５０に、該札用紙１の既成プリント範囲３に表示された画像３０（３１，３２）の輪郭に対応する位置合わせ用の輪郭表示部７が、同図１０中に示すように、白抜き実線輪郭（７）、または、図示しない塗り潰し面によって該札用紙１の裏面１１から表面１０に透視可能な濃色にて印刷表示されたものとなり、さらに、台紙５は、その表面５０に対し、札用紙１の裏面１１が重ね合わせられ、台紙５および該札用紙１の上端縁同士が、剥離された場合に、糊または熱熔着の場合の樹脂成分などの接着成分が、台紙５がわに残り、札用紙１がわに残らないよう、台紙５がわに強く接着され、札用紙１が台紙５から分離容易となる状態に貼着、結合され、一綴りとされたものとなっている。
【００４０】
また、図１４ないし図１６に示すように、札用紙組４の札用紙１および台紙５の形状は、例えば、縦の長方形状、横の長方形状、正方形状、または、図示していない円形状や長円形状、三角形状、台形状、菱形形状、将棋型形状、その他の形状などとすることが可能であり、さらに、台紙５には、輪郭表示部７が設けられておらず、記入範囲表示部６のみが設けられたものとすることができる。
【００４１】
（実施例２の作用・効果）
この発明の札用紙組４は、巡礼の対象となる寺院の寺務所や神社の社務所などの夫々に、札用紙１および台紙５の１枚ずつの上端縁同士が、剥離容易な一綴りとされ、該札用紙組４の複数が、札所である各寺院の寺務所や神社の社務所などに備えられたものとされ、該札用紙組４に綴じられた、この発明の基本をなす札用紙１の表面１０には、図９に示すように、その朱印用空白範囲２が印刷表示されておらず、また、その既成プリント範囲３に各寺院や神社毎に異なり、しかも夫々の寺院や神社に因んだ特有の画像３０（３１，３２）が印刷表示されたものとされている。
【００４２】
そして、朱印札８を求める参拝者が訪れた場合に、各寺院の寺務所や神社の社務所の職員や住職、宮司などによって該札用紙１に墨書き２１および朱印２２の押印が行われることとなるが、台紙５と札用紙１とが一綴りとされた札用紙組４は、図１０に示す、該台紙５の表面５０の記入範囲表示部６が、図１１に示すように、札用紙１の裏面１１から表面１０に透視可能なものとなっているから、札用紙１に設定されてはいるが印刷表示されていない朱印用空白範囲２を、正確に把握することが可能となり、該記入範囲表示部６を透かし見ながら、図１２に示すように、札用紙１の表面１０の印刷表示されていない朱印用空白範囲２内に、右上配置の参拝、中央に配置された○○○○宮、左がわ配置の参拝年月日の夫々の配置やバランスなどを一切迷うこと無く、速やかに墨書き２１することが可能となり、墨書き２１が乾燥した後に、図１３に示すように、朱印２２が押印された上、札用紙１から台紙５を剥離して完成されたものとなり、前記実施例１に示した札用紙１と同様に、大勢の参拝者が一斉に朱印札８を希望した場合にも、美観に優れた朱印札８をより迅速且つ効率的に授与することが可能となる。
【００４３】
さらに、図１４ないし図１６に示すように、札用紙１および台紙５の形状や、札用紙１の朱印用空白範囲２および既成プリント範囲３（画像３０や図示しない文字）の範囲、および、該札用紙１に重ね合わせられる台紙５の記入範囲表示部６および（図１４ないし図１６の実施例には設けられていない輪郭表示部７）などの配置などを、札所毎、または、同一の札所において様々に異なる外郭形状、外郭寸法および画像３０や文字の配置に設定されたものなどが多彩に展開され、参拝者の好みや希望に応じて自由に、夫々の形状、寸法毎に統一感をもって集印することが可能なものとすることができる。
【００４４】
（結  び）
叙述の如く、この発明の朱印札用の札用紙、およびそれを具備した札用紙組は、その新規な構成によって所期の目的を遍く達成可能とするものであり、しかも製造も容易で、従前からのもののように、参拝者が持参した朱印帳や、寺院や神社などの札所に備えられている薄い一枚の和紙に朱印を頂くのとは全く異なり、複数箇所の札所の何れかからも、互いに統一感をもって集印可能な朱印札が授与されるものとすることができるから、複数の札所を巡礼しながら、集印する参拝者にとって格別の付加価値が付与されるものとなる上、札所となる各寺務所や社務所の職員や住職、宮司など、朱印札を発行する人々の、作業負担を大幅に軽減すると共に、朱印札の授与作業を格段に効率化することができるから、複数の札所を巡りながらより迅速に、札所毎により個性的且つ美観をもった朱印札の発行を期待する参拝者、および、海外からの観光客の増加などによって今後の朱印札の発行数の増加が見込まれ、より効率的な朱印札の発行技術の提供を希望する寺院や神社などは勿論のこと、こうした多忙を極める札所に札用紙を提供する製紙業界、および、札用紙や朱印帳などを製造販売する文房具業界などにおいても高く評価され、広範に渡って利用、普及していくものになると予想される。                                                                                        
【符号の説明】
【００４５】
１      札用紙
１０    同  表面
１１    同  裏面
２      朱印用空白範囲
２０    同  境界表示枠
２１    同  墨書き
２２    同  朱印
３      既成プリント範囲
３０    同  画像
３１    同  ５羽の雀の画像
３２    同  眠り猫の画像
３３    同  蓮唐草模様
４      札用紙組
５      台紙
５０    同  表面
６      記入範囲表示部
７      輪郭表示部
８      朱印札
９      朱印札用のファイル
９０    同  丸筒
９１    同  額縁
９２    同  屏風型朱印ファイル
【図１】
2020151264.tif 000003
【図２】
2020151264.tif 000004
【図３】
2020151264.tif 000005
【図４】
2020151264.tif 000006
【図５】
2020151264.tif 000007
【図６】
2020151264.tif 000008
【図７】
2020151264.tif 000009
【図８】
2020151264.tif 000010
【図９】
2020151264.tif 000011
【図１０】
2020151264.tif 000012
【図１１】
2020151264.tif 000013
【図１２】
2020151264.tif 000014
【図１３】
2020151264.tif 000015
【図１４】
2020151264.tif 000016
【図１５】
2020151264.tif 000017
【図１６】
2020151264.tif 000018
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
巡礼対象の寺院寺務所や神社社務所の夫々に、一定の縦横寸法内に収まる寸法および外郭形状に設定され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像または特有の文字の少なくとも何れか一方が予め印刷表示された既成プリント範囲が設けられた朱印札用の札用紙の複数枚が予め備えられ、朱印札を求める参拝者が訪れたとき、各寺院寺務所や神社社務所の職員や住職、宮司などが、該当札用紙の境界表示枠によって示された朱印用空白範囲内の所定の箇所に、参拝などの礼拝に因む文字、神社・仏閣名、参拝年月日を速やかに墨書きし、朱印を填圧することにより、誰が墨書き、収印を行っても略同様の配置となるようにし、同じ参拝者が、複数の札所の何れを訪れても統一された形状、寸法、配置の朱印札を、統一性を維持して所有可能にするようにしたことを特徴とする巡礼用集印方法。
【請求項２】
一定の縦横寸法内に収まる寸法および外郭形状に設定され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像または特有の文字の少なくとも何れか一方が予め印刷表示された既成プリント範囲が設けられた、請求項１記載の巡礼用集印方法に用いられる札用紙。
【請求項３】
一定の縦横寸法内に収まる寸法および外郭形状に設定され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像または特有の文字の少なくとも何れか一方が予め印刷表示された既成プリント範囲が設けられてなり、配備の対象となる複数の寺、社の夫々毎に、特有の画像または特有の文字の少なくとも何れか一方が予め印刷表示された既成プリント範囲が設けられた札用紙が備えられ、寺、社にて、表面の中央の朱印用空白範囲内に対し、墨書きおよび朱印を押印された上、参拝者に提供されることになるものとされた、請求項１記載の巡礼用集印方法に用いられる札用紙。
【請求項４】
国際規格であるＩＳＯ２１６に規定されたＡシリーズのＡ７サイズないしＡ３サイズの何れか一の縦横寸法内に収まる寸法および四角形外郭形状に設定されると共に、配備の対象となる全ての寺、社に配備される夫々が、互いに同一の外郭寸法、形状に統一され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社、本尊、本殿など毎に因んだ特有の画像または特有の文字の少なくとも何れか一方が予め印刷表示された既成プリント範囲が設けられた、請求項１記載の巡礼用集印方法に用いられる札用紙。
【請求項５】
札用紙の全体か、または札用紙の表面の朱印用空白範囲かの何れか一方が、墨および印の吸収が良い上質紙または和紙の何れか一方からなるものとされた、請求項２ないし４何れか一記載の札用紙。
【請求項６】
札用紙の表面の朱印用空白範囲と既成プリント範囲との境界に沿って境界表示枠が、印刷表記されたものとしてなる、請求項２ないし５何れか一記載の札用紙。
【請求項７】
札用紙と同一の寸法、形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色に印刷表示された台紙として、請求項２ないし４何れか一記載の朱印札用の札用紙に添付されてなる、請求項２ないし５何れか一記載の札用紙を具備した札用紙組。
【請求項８】
札用紙と同一の寸法および外郭形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色にて印刷表示されると共に、札用紙の裏面が積層状に重ね合わせられることとなる表面に、札用紙の既成プリント範囲に表示された画像の輪郭または文字の輪郭の少なくとも何れか一方に対応する位置合わせ用の輪郭表示部が、札用紙の裏面から表面に透視可能な濃色にて印刷表示された台紙として、請求項２ないし４何れか一記載の朱印札用の札用紙に添付されてなる、請求項２ないし５何れか一記載の札用紙を具備した札用紙組。
【請求項９】
台紙の表面に対し、札用紙の裏面が重ね合わせられ、台紙および札用紙の上端縁同士、左端縁同士、右端縁同士、下端縁同士の少なくとも何れか一が分離容易に結合され、一綴りにされてなるものとした、請求項７または８何れか一記載の札用紙組。                                                    
【手続補正２】
【補正対象書類名】明細書
【補正対象項目名】全文
【補正方法】変更
【補正の内容】
【発明の詳細な説明】
【技術分野】
【０００１】
この発明は、寺院や神社などから参拝者に、参拝や納経などの証として授与される朱印札の技術に関連するものであり、特に、朱印札用の札用紙を製造、提供する分野は勿論のこと、その輸送、保管、組み立て、展示および授与に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                
【背景技術】
【０００２】
（着目点）
西国三十三所霊場詣や四国八十八箇所霊場詣に代表される霊場巡りは、巡礼者が、屏風折りの折り本とされたものや、和綴じとされたものなどの朱印帳や納経帳、集印帳などを持参し、これに寺務所や、社務所の職員や住職、宮司などが、墨書きすると共に、朱印を押印して頂き、訪れた寺社毎に集印しながら巡礼するというのが一般的なものとなっている。
【０００３】
こうした集印は、参拝者が、事前に朱印帳や納経帳、集印帳などを文房具店や百貨店などで事前に購入し、持参するか、または、訪れた寺院や神社などで購入する必要があり、例えば、複数の寺院や神社を巡礼中に、朱印帳を忘れてしまい、持参することができなかったような場合には、やむなく新たに朱印帳を購入するなどの対応をしなければならず、本来ならば一冊に纏めて集印できたはずのものが、二冊、三冊と増えてしまい、残念な結果になってしまうことがあった。
【０００４】
また、不要に朱印帳が増えてしまうのを好まない巡礼者や、はじめから朱印帳を持たない参拝者などの場合には、寺院や神社に備えられている薄い一枚の和紙に朱印を頂くこととなるが、こうして単独で頂く朱印札は、白紙に墨書き、朱印するものとなるから、集印した多数の朱印札は、互いに似通っていて、一般の参拝者には、どの寺院、神社の朱印札なのか見分けるのが困難なものであった。
さらに、一冊の朱印帳に寺院と神社の朱印が混在していたり、宗派の異なる朱印が存在したりしている場合などに、宗教上の理由によって押印を断られてしまうことがあるなど、参拝者の希望どおりに一冊の朱印帳に集印することができない場合があった。
【０００５】
（従来の技術）
こうした状況を反映し、その打開策となるような提案もこれまでに散見されない訳ではない。
例えば、下記の特許文献１（１）に提案されているものに代表されるように、手ぬぐい生地に、仏像模様や円形模様を設けて、そこに当該寺院の仏像図や寺院名を押印することができるようにされた朱印帳となる手ぬぐいや、特許文献１（２）に見られるような、尊格像とそれらの周辺を飾る絵柄とが織り出されてなるタペストリー式織物シートと、前記織物シートに、その尊格像の周辺において表示された、掛軸所蔵者を示す家紋及び名称と、前記織物シートの上端に固着された支持軸と、前記織物シートの下端に固着された巻軸とから構成された掛け軸などが散見されるが、単独で手ぬぐいや掛け軸の独特の形態をなしているような朱印札類は、巡礼先の寺院や神社毎に異なる形状、寸法のものとなることが多く、巡礼者が集印した複数の朱印札に全体的統一感をもって体裁良く保管したり、整然と展示したりするのが難しいという欠点があった。
【０００６】
また、特許文献１（３）に示されているように、表紙と、表紙に綴じられその表面に低粘着性の粘着層を有する複数の台紙と、台紙に剥離自在に貼着される透明シートとを備え、台紙と透明シートとの間に朱印札を挟むことができるものとされた朱印帳や、特許文献１（４）に開示されているもののように、おもて表紙とうら表紙と２枚重ねの内紙をパーツとしてなるジャバラ式収集帳であって、パーツとしてのおもて表紙、うら表紙、２枚重ねの内紙に連結手段を備えているジャバラ式収集帳、特許文献１（５）のように、芯に巻かれた連続する１枚の巻き紙が用いられ、その繰り出し外層端部から順次に整然と、１個ずつ同等形態の集中的並記単位として、遍路旅の行き先順序記号とその記号により教示される札所名、並びにその札所毎に由来する詠歌とを何れも墨で筆書きした如き文字によって印刷されたものであると共に、その単位群の隣り合う相互間に札所毎に宝印押捺用又は感想記録用空白が一定な大きさとして画成され、上記順序記号に従って自ずと繰り出し使用できるよう定められた巡礼用の集印巻、特許文献１（６）に示されるような、所定数の用紙を連綴してなる納経帳において、各葉に参拝すべき寺院等の本尊の真言が記載されてなる納経帳などが散見される。
【０００７】
前記特許文献１（３）および１（４）に示されているような各種の朱印帳類は、寺院や神社などに備えられている薄い一枚の和紙に頂いた朱印札を集印するのに適しており、参拝者の都合によって自由に、朱印札の配列を差し替えることができるものとなっており、また、前記特許文献１（５）および１（６）に示されているような朱印帳類は、予め、巡礼の順序に従い、札所毎の朱印用の空白範囲が整然と配され、しかも、札所毎に設定された朱印用の空白範囲に隣り合う位置に、札所毎に由来する詠歌や札所毎の本尊の真言などが記載されたものとなっているから、一般的な参拝者にも朱印毎に何れの寺院または神社のものなのかが明確に理解できるという利点を備えているものとなっているが、何れの朱印帳の場合にも、朱印札、または朱印帳の朱印用の空白範囲の中の、何れの位置に墨書きし、朱印するのかが明確に示されておらず、墨書きの位置や朱印を押印する位置などは、各寺務所、社務所の職員や住職、宮司などの任意によって文字や朱印の配置のバランスなどを慎重に考えながら行われなければならないものとなっていて、朱印を発行する作業が大きな負担となってしまう虞があった。                                                                                  
【特許文献１】（１）実用新案登録第３０８０４７７号公報    （２）実用新案登録第３０６６９７０号公報    （３）実用新案登録第３１９９２７８号公報    （４）実用新案登録第３１９５５０３号公報    （５）実公昭５８−２３６６４号公報    （６）実開平６−５２６６６号公報
【発明の概要】
【発明が解決しようとする課題】
【０００８】
（問題意識）
上述したとおり、従前までに提案のある各種の朱印札は、札所に備えられている札用紙類の素材やデザインなどが札所毎に大きく異なってしまうことが多く、巡礼しながら各札所から頂く朱印札の形状や寸法に統一性をもって整然と整理、集印するのが難しいものとなっており、また、各寺務所、社務所の職員や住職、宮司などが、札用紙類に対して墨書きし、朱印を押印する際には、札用紙類に対する墨書きや朱印の位置などに細かな取り決めが特になされている訳ではないから、墨書きの大きさや配置、および朱印の配置などのバランスを熟慮の上、慎重且つ丁寧に墨書きおよび朱印の押印を行わなければならず、寺院や神社などの各札所の作業負担が大きく、しかも大勢の参拝者が同時に朱印札の授与を希望した場合には、長い待ち時間が発生してしまうという欠点があり、複数の札所の何れを訪れた場合にも、統一された形状および寸法の朱印札を、統一性をもって収集することができる上、各寺務所、社務所の職員や住職、宮司などが、朱印札や朱印帳に墨書きや朱印の押印を行う際の、作業負担を軽減し、作業効率を改善することができる朱印札用の札用紙の構成につき、更なる改善の必要性を痛感するに至ったものである。
【０００９】
（発明の目的）
そこで、この発明は、参拝者が札所番号順の巡礼に拘ることなく、参拝および集印することができる上、朱印帳を持参せず何れの札所を訪れても、互いに統一性をもった形状および寸法の朱印札が授与されるものとなり、しかも、各寺務所、社務所の職員や住職、宮司などが、札用紙に対する墨書きの位置、および朱印の押印位置などを迷うことなく決定し、より速やかに朱印札を作成することができる新たな朱印札用の札用紙技術の開発はできないものかとの判断から、逸速くその開発、研究に着手し、長期に渡る試行錯誤と幾多の試作、実験とを繰り返してきた結果、今回、遂に新規な構造の巡礼用集印方法、ならびにそれに用いられる札用紙およびそれを具備した札用紙組を実現化することに成功したものであり、以下では、図面に示すこの発明を代表する実施例と共に、その構成を詳述することとする。                                                        
【課題を解決するための手段】
【００１０】
（発明の構成）
図面に示すこの発明を代表する実施例からも明確に理解されるように、この発明の巡礼用集印方法は、基本的に次のような構成から成り立っている。
即ち、巡礼対象の寺院寺務所や神社社務所の夫々に、一定の縦横寸法内に収まる寸法および外郭形状に設定され、表面の中央に、墨および印の吸収が良い紙製であって、寺名、社名、本尊の名称、本殿の名称の少なくとも何れか一つ、および参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像または特有の文字の少なくとも何れか一方が予め印刷表示された既成プリント範囲が設けられた朱印札用の札用紙の複数枚が予め備えられ、朱印札を求める参拝者が訪れたとき、各寺院寺務所や神社社務所の職員や住職、宮司などが、該当札用紙の境界表示枠によって示された朱印用空白範囲内の所定の箇所に、参拝などの礼拝に因む文字、神社・仏閣名、参拝年月日を速やかに墨書きし、朱印を填圧することにより、誰が墨書き、収印を行っても略同様の配置となるようにし、同じ参拝者が、複数の札所の何れを訪れても統一された形状、寸法、配置の朱印札を、統一性を維持して所有可能にするようにした構成を要旨とする巡礼用集印方法である。
【００１１】
（関連する発明１）
上記した巡礼用集印方法に関連し、この発明には、それに用いる札用紙も包含している。
即ち、一定の縦横寸法内に収まる寸法および外郭形状に設定され、表面の中央に、墨および印の吸収が良い紙製であって、寺名、社名、本尊の名称、本殿の名称の少なくとも何れか一つ、および、参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像、または、特有の文字の少なくとも何れか一方が予め印刷表示された既成プリント範囲が設けられてなる構成を要旨とする、巡礼用集印方法に用いられる札用紙である。
【００１２】
この札用紙は、その表現を変えて示すならば、一定の縦横寸法内に収まる寸法および外郭形状に設定され、表面の中央に、墨および印の吸収が良い紙製であって、寺名、社名、本尊の名称、本殿の名称の少なくとも何れか一つ、および、参拝年月日が墨書きされると共に、朱印が押印されることとなる朱印用空白範囲が設定された札用紙であり、該札用紙の表面の朱印用空白範囲の余となる範囲に、寺、社毎に因んだ特有の画像、または、特有の文字の少なくとも何れか一方が予め印刷表示された既成プリント範囲が設けられてなり、配備の対象となる複数の寺、社の夫々毎に特有の画像または特有の文字の少なくとも何れか一方が予め印刷表示された既成プリント範囲が設けられた札用紙が、各寺、社に備えられ、各寺、社にて、表面の中央の朱印空白範囲内に対し、墨書きおよび朱印を押印された上、参拝者に提供されることになるものとされた構成からなる札用紙となる。
【００１３】
より具体的には、横３００×縦６００ｍｍの縦横寸法内に収まる寸法や、この寸法内に収まる四角形その他外郭形状に設定されると共に、配備の対象となる全ての寺、社に配備される夫々が、互いに同一の外郭寸法、形状に統一され、表面の中央に、墨および印の吸収が良い紙製であって、寺名、社名、本尊の名称、本殿の名称の少なくとも何れか一つ、および、参拝年月日が墨書きされると共に、朱印が押印されることとなる朱印用空白範囲が設定された札用紙であり、該札用紙の表面の朱印用空白範囲の余となる範囲に、寺、社、本尊、本殿など毎に因んだ特有の画像、または、特有の文字の少なくとも何れか一方が予め印刷表示された既成プリント範囲が設けられてなる構成からなる札用紙であるということができる。
【００１４】
（関連する発明２）
上記した巡礼用集印方法に用いられる札用紙に関連し、この発明には、それを利用した札用紙組も包含している。
即ち、この発明の基本をなす札用紙と同一の寸法、形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色に印刷表示されたものとしてなる台紙が、この発明の基本をなす朱印札用の札用紙に添付されたものとしてなる、この発明の札用紙を具備した札用紙組である。
【００１５】
この札用紙組を、表現を変えて示すと、この発明の基本をなす札用紙と同一の寸法および外郭形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色にて印刷表示されると共に、札用紙の裏面が積層状に重ね合わせられることとなる表面に、札用紙の既成プリント範囲に表示された画像の輪郭、または、文字の輪郭の少なくとも何れか一方に対応する位置合わせ用の輪郭表示部が、札用紙の裏面から表面に透視可能な濃色にて印刷表示されたものとしてなる台紙が、この発明の基本をなす朱印札用の札用紙に添付されたものとしてなる、この発明の札用紙を具備した札用紙組ということができる。                                                                          
【発明の効果】
【００１６】
以上のとおり、この発明の巡礼用集印方法、ならびにそれに用いられる札用紙およびそれを具備した札用紙組によれば、従前までのものとは違い、上記したとおりの固有の特徴ある構成から、巡礼の対象となる寺院や神社などの各札所毎に、予め朱印用空白範囲が設定されていると共に、札所毎に特有の画像、または、特有の文字の少なくとも何れか一方が予め印刷表示された、一定の縦横寸法内に収まる寸法および外郭形状に設定された札用紙を配備して置き、参拝者から朱印札を求められた場合に、札所の職員、住職または宮司などが、文字の配置バランスなどを検討する必要がなく、速やかに朱印用空白範囲に墨書きし、朱印を押印することができ、しかも、誰が墨書き、朱印の押印を行っても、略同様の文字の配置となり、同じ参拝者が、複数の札所の何れを訪れた場合にも、統一された形状および寸法の朱印札を、統一性をもって収印することができる上、各寺務所、社務所の職員や住職、宮司などが、朱印札に墨書きおよび朱印の押印を行う際の、作業負担を大幅に軽減し、作業効率を格段に改善して参拝者の待ち時間を短時間に留めるよう短縮化できるという秀でた特徴が得られるものである。
【００１７】
加えて、巡礼用集印方法に用いられるようにするため、各札所に配備されることとなる、この発明の朱印札用の札用紙が、国際規格であるＩＳＯに規定されたＡシリーズのＡ７サイズないしＡ３サイズの何れか一の縦横寸法内に収まる寸法および四角形外郭形状に設定されると共に、配備の対象となる全ての寺、社に配備される夫々が、互いに同一の外郭寸法、形状に統一されたものとすることにより、巡礼者が携帯し易い寸法および形状のものとすることができる上、同じ参拝者が、複数箇所の札所を巡礼しながら、集印した場合に、各種形態のファイル型の朱印帳などに統一感をもって集印することが可能となり、しかも、従前までの参拝者が持参した朱印帳に対し、各札所が直接墨書き、朱印の押印を行う従来型のものと異なり、各寺院や神社毎に独立した朱印札を発行するものとなるから、宗教の違いなどの理由などによって朱印帳への朱印の押印を断られてしまうことがなくなり、さらに、札所番号順や巡礼順など、参拝者の望む順序に配列し、複数枚の朱印札を、全体的統一感をもって収集したり、展示したりすることができ、より優れた美観をもって集印し、賞美することができるものになるという特有の効果を発揮するものとなる。
【００１８】
そして、札用紙の全体が墨および印の吸収が良い上質紙または和紙の何れか一方からなるものとされた、この発明の朱印札用の札用紙は、札用紙それ自体の生産効率が良く、参拝者に授与された場合に、寺院や神社が発行した朱印札としての高い品格を充分に表現することができるものとなり、また、札用紙の表面の朱印用空白範囲が、墨および印の吸収が良い上質紙または和紙の何れか一方からなるものとされた、この発明の朱印札用の札用紙によれば、該札用紙の朱印用空白範囲の余となる範囲が、上質紙や和紙以外の、より印刷に適した素材製のものとすることができるから、より鮮明且つ多彩な画像表現や紙質表現が成されたものとすることが可能になるという特段の効果が得られるものになる。
【００１９】
また、札用紙の表面の朱印用空白範囲と既成プリント範囲との境界に沿って境界表示枠が、印刷表記されたものとしてなる、この発明の朱印札用の札用紙によると、該札用紙の単独の状態にあっても、定規類を要さずに、誰でも簡単且つ確実に朱印用空白範囲を目視確認することができるものとなるから、該札用紙が配備された札所の何れの職員、住職または宮司であっても、一定の範囲に墨書きおよび朱印の押印をすることができるものとなり、参拝者に対し、より簡単且つ効率的に一定品質の朱印札の発行ができるものになる。
【００２０】
さらに、この発明の札用紙を具備した札用紙組によれば、札用紙の裏面に台紙の表面が接する積層状に重ね合わせ配置されたものとなり、該台紙の表面の記入範囲表示部が、該札用紙の裏面から表面に透けて、該札用紙の表面に実際には印刷されていない朱印用空白範囲が、透視可能に表示されることとなるから、該札用紙の表面に朱印用空白範囲が印刷表示されたものと同様に、該札用紙が配備された札所の何れの職員、住職または宮司であっても、一定の範囲に墨書きおよび朱印の押印をすることができるものとなり、該台紙から離脱された朱印札（札用紙）のみを参拝者に対して、より簡単且つ効率的に発行できるものになり、複数の札所から参拝者に授与された朱印札は、朱印用空白範囲が表示されていないにもかかわらず、互いに統一された朱印用空白範囲内に、墨書きおよび朱印の押印が成され、一定の品質に保たれたものになり、しかも個々の朱印札に札所毎に特有の画像表現、または、特有の文字表現の少なくとも何れか一方がなされたものになる上、複数の朱印札同士が、全体的な統一感と優れた美観とをもって集印できるものになるという格別の効果が得られる。
【００２１】
そして、台紙の表面に対し、札用紙の裏面が重ね合わせられ、台紙および札用紙の上端縁同士、左端縁同士、右端縁同士、下端縁同士の少なくとも何れか一が、分離容易に結合され、一綴りとされたものとしてなる、この発明の朱印札用の札用紙を具備した札用紙組によると、台紙と札用紙とが人綴りに一体化されているから、墨書きおよび朱印の押印をする際に、台紙に対して札用紙を位置決めする操作が不要となり、より簡単、迅速且つ正確に朱印札の発行作業を行うことができるという大きな効果を奏するものとなる。                                
【発明を実施するための最良の形態】
【００２２】
上記したとおりの構成からなるこの発明の実施に際し、その最良もしくは望ましい形態について説明を加えることにする。
札用紙は、巡礼の対象となる霊場や札所である各寺務所、社務所の職員、住職、宮司などが、朱印札の授与を希望する参拝者に対し、参拝、納経の証しとして墨書きおよび朱印の押印を行った上、朱印札として提供可能となる機能を担うものであり、一定の縦横寸法内に収まる寸法および外郭形状に設定されたものとしなければならず、より具体的には、後述する実施例にも示すように、国際規格であるＩＳＯ  ２１６に規定されたＡシリーズのＡ７サイズないしＡ３サイズの何れか一の縦横寸法内に収まる寸法および四角形外郭形状に設定されると共に、配備の対象となる全ての霊場や札所に配備される夫々が互いに同一の外郭寸法、形状に統一されてなるものとするのが良い。
【００２３】
札用紙の朱印用空白範囲は、札用紙の表面の中央に、寺名、社名、本尊の名称、本殿の名称の少なくとも何れか一つ、および、参拝年月日が墨書きされると共に、朱印が押印されることを可能とする機能を担っており、墨および印の吸収が良い紙製のものとしなければならず、より具体的には、後述する実施例にも示しているように、印の吸収が良い上質紙または和紙の何れか一方からなるものとすべきであり、例えば、朱印用空白範囲を含む札用紙の全体が、印の吸収が良い上質紙または和紙の何れか一方からなるものや、札用紙の朱印用空白範囲のみに、印の吸収が良い上質紙または和紙の何れか一方が積層状に貼着、一体化されたものなどとすることができる外、朱印用空白範囲に相当する中央部分が窓枠状に刳り抜かれた札用紙の刳り抜き孔内に対し、印の吸収が良い上質紙または和紙の何れか一方が充填または嵌合状に一体化されてなるものなどとすることが可能であり、さらにまた、札用紙の表面の朱印用空白範囲と既成プリント範囲との境界に沿って境界表示枠が、印刷表記されたものとすることが可能である。
【００２４】
例えば、札用紙の既成プリント範囲が、紙の表面を特殊な薬剤でコーティングしてあり、平滑且つ光沢のあるコート紙、コート紙と同様にコーティングされているが、細かな凹凸状の表面に加工され、光沢がコート紙よりも抑えられたマット紙、および、紙自体に着色や模様などの、特殊な加工が施された特殊紙の何れか一つか、または、それらの組み合わせの何れか一方からなるものとすることができ、より具体的に示すと、札用紙の既成プリント範囲が、光沢紙、アートポスト（商品名）、マットポスト（商品名）、ケント紙（商品名）、ヴァンヌーボ（登録商標）、ハイマッキンレーアート（商品名。ハイマッキンレー：登録商標）、ハイマッキンレーポスト（商品名。ハイマッキンレー：登録商標）、エスプリコートＳＳ（商品名）、ユポ紙（商品名。ユポ：登録商標）、または、クラフト紙（商品名）の何れか一つか、または、それらの組み合わせの何れか一方からなるものとすることができる。
【００２５】
札用紙の既成プリント範囲は、札用紙の表面の朱印用空白範囲の余となる範囲に、寺院や神社毎に因んだ特有の画像、または、特有の文字の少なくとも何れか一方が予め印刷表示されたものとなる機能を分担するものであり、モノクロ表示、カラー表示、ホログラム表示などの何れか一つか、または、それらの組み合わせからなるものとすることが可能であり、オフセット印刷、凸版印刷、グラビア印刷、シルク印刷、ホログラム印刷、版画、シールやステッカー類の印刷物の貼着などの何れか一つか、または、それらの組み合わせからなるものとすることが可能であり、例えば、札用紙の表面の朱印用空白範囲の余となる範囲に、清水寺の舞台、東大寺の大仏、日光東照宮の陽明門や三猿、厳島神社の大鳥居、鹿苑寺の舎利殿（金閣）、東山慈照寺の観音殿（銀閣）、興福寺の千手観音、浅草寺の聖観世音菩薩、成田山の不動明王、その他の建築物や像、人物、動物、人工物、景色、植物、自然物、その他の絵または写真などの画像が、該朱印用空白範囲に対してバランス良く配されるようプリントされたものとすることができ、後述する実施例にも示している通り、札用紙の表面の朱印用空白範囲の余となる範囲に、例えば、日光東照宮の眠り猫および雀を模した画像がプリントされたものとすることができる。
【００２６】
札用紙の既成プリント範囲にプリントされた文字は、寺院や神社毎に因んだ特有の真言、梵字、種子、サポン、詠歌、霊場の札番号、祭事名などがプリント表示されたものとなる機能を分担し、札用紙の表面の朱印用空白範囲の余となる範囲に、バランス良く配されるようプリントされたものとするべきであり、モノクロ表示、カラー表示、ホログラム表示などの何れか一つか、または、それらの組み合わせからなるものとすることが可能であり、オフセット印刷、凸版印刷、グラビア印刷、シルク印刷、ホログラム印刷、シールやステッカー類の印刷物の貼着などの何れか一つか、または、それらの組み合わせからなるものとすることが可能である。
【００２７】
札用紙組は、この発明の基本をなす朱印札用の札用紙の表面に対し、朱印用空白範囲を表示する印刷を施すことなく、該札用紙とは別の別紙類との組み合わせから、寺院や神社にて、該札用紙の表面の中央の朱印用空白範囲内に対し、墨書きおよび朱印を押印される際に、該札用紙の表面の中央に朱印用空白範囲を明確に表示可能とする機能を担うものであり、この発明の基本をなす朱印札用の札用紙と同一の寸法および外郭形状に設定され、札用紙の裏面が積層状に重ね合わせられることとなる表面の中央に、札用紙の朱印用空白範囲に対応する形状および面積の記入範囲表示部が、札用紙の裏面から表面に透視可能な濃色にて印刷表示された台紙が、この発明の基本をなす朱印札用の札用紙と組み合わせられてなるものとしなければならず、より具体的なものとして示すならば、後述する実施例にも示しているように、該台紙が、札用紙の裏面が積層状に重ね合わせられることとなる表面に、札用紙の既成プリント範囲に表示された画像の輪郭、または、文字の輪郭の少なくとも何れか一方に対応する位置合わせ用の輪郭表示部が、札用紙の裏面から表面に透視可能な濃色にて印刷表示されたものとすることが可能であり、さらに具体的には、該台紙の輪郭表示部が、モノクロ表示、カラー表示の何れか一方か、または、それらの組み合わせからなるものとすることが可能であり、オフセット印刷、凸版印刷、グラビア印刷、シルク印刷、版画などの何れかとすることが可能である。
【００２８】
台紙の記入範囲表示部は、台紙の表面に札用紙の裏面が重ね合わせられた場合に、札用紙の表面に対し、札用紙の裏面から表面に透視可能な朱印用空白範囲を表示可能とする機能を分担し、札用紙の裏面に、台紙の表面が重なり合うよう積層状の配置とされた場合に、記入範囲表示部の濃色の印刷表示が、札用紙を透して同札用紙の表面に可視化可能となるものとしなければならず、札用紙の厚みを透かして明確に見ることができる程度に、充分な濃さに印刷表示されたものとすべきであり、記入範囲表示部の全面が濃色面状に表示されたものか、または、記入範囲表示部の外周囲（札用紙の朱印用空白範囲と既成プリント範囲との境目となる枠線）のみが、濃色枠線状に表示されたものかの少なくとも何れか一方とすることができ、少なくとも記入範囲表示部、望ましくは台紙の表面の全体が、墨書きおよび押印の邪魔にならない程度の平滑面状に形成されたものとすべきであり、さらに具体的には、オフセット印刷、凸版印刷、グラビア印刷、シルク印刷、ホログラム印刷、版画、シールやステッカー類の印刷物の貼着などの何れかとすることが可能である。
【００２９】
台紙の輪郭表示部は、該台紙に対して札用紙を正確に重ね合わせ、正確に位置合わせ可能とする機能を担っていて、札用紙の裏面が積層状に重ね合わせられることとなる台紙の表面に対し、札用紙の既成プリント範囲に表示された画像の輪郭、または、文字の輪郭の少なくとも何れか一方に対応する位置合わせ用の輪郭表示部が、札用紙の裏面から表面に透視可能な濃色にて印刷表示されたものとしなければならず、札用紙の厚みを透かして見ることができる、充分な濃さに印刷表示されたものとするのが良く、札用紙の既成プリント範囲に表示された画像の輪郭内または文字の輪郭内の全体に対応する濃色面状に表示されたものか、または、札用紙の既成プリント範囲に表示された画像の輪郭または文字の輪郭の周囲縁に沿って濃色枠線状に表示されたものかの何れか一方とすることができ、望ましくは台紙の表面の全体が、墨書きおよび押印に適した平滑面状に形成されたものとするのが良く、より具体的には、オフセット印刷、凸版印刷、グラビア印刷、シルク印刷、ホログラム印刷、版画、シールやステッカー類の印刷物の貼着などの何れかとすることが可能である。
そして、台紙に対する札用紙の重ね合わせおよび位置決め操作の煩わしさを解消するよう、台紙の表面に対し、札用紙の裏面が重ね合わせられ、台紙および札用紙の上端縁同士、左端縁同士、右端縁同士、下端縁同士の少なくとも何れか一が、分離容易に結合され、一綴りとされたものとすることができる。
【００３０】
後述する実施例には示していないが、札用紙組は、札用紙と同一の寸法、形状に設定され、札用紙の表面に対し、積層状に重ね合わせられることとなる中央に、札用紙の朱印用空白範囲に対応する形状および面積の記入範囲規制窓が厚み方向に貫通されたものとしてなる保護紙が、この発明の基本をなす朱印札用の札用紙に添付されてなるものとすることが可能であり、より具体的に示すと、札用紙と同一の寸法および外郭形状に設定され、札用紙の表面に対し、積層状に重ね合わせられることとなる中央に、札用紙の朱印用空白範囲に対応する形状および面積の記入範囲規制窓が厚み方向に貫通されたものとしてなると共に、札用紙の表面に積層状に重ね合わせられた場合に、札用紙の既成プリント範囲に表示された画像の輪郭、または、文字の輪郭の少なくとも何れか一方に対応する位置合わせ用の輪郭窓が、札用紙の表面を直接視認可能とするよう開口されてなる保護紙が、この発明の基本をなす朱印札用の札用紙に添付されてなるものとし、墨書きおよび朱印の押印をする際に、札用紙の表面の朱印用空白範囲（既成プリント範囲に表示された画像または文字）を除く範囲が、保護紙によって保護され、汚損による作成ミスを未然に防止可能なものとすることができる。
【００３１】
さらに、前記保護紙の裏面に対し、この発明の札用紙の表面が重ね合わせられ、保護紙および札用紙の上端縁同士、左端縁同士、右端縁同士、下端縁同士の少なくとも何れか一が、分離容易に結合され、一綴りとされたものとしてなる、この発明の基本をなす朱印札用の札用紙を具備した札用紙組とすることが可能である。
以下では、図面に示すこの発明を代表する実施例と共に、その構造について詳述することとする。                                                                                                                
【図面の簡単な説明】
【００３２】
図面は、この発明の巡礼用集印方法、ならびにそれに用いられる札用紙およびそれを具備した札用紙組の技術的思想を具現化した代表的な幾つかの実施例を示すものである。
【図１】朱印用空白範囲を示す境界表示枠が印刷された札用紙の表面を示す正面図である。
【図２】朱印用空白範囲に墨書きされた札用紙の表面を示す正面図である。
【図３】朱印が押印された朱印札（札用紙）の表面を示す正面図である。
【図４】朱印札が丸筒に納められる状態を示す斜視図である。
【図５】朱印札が額縁に納められる状態を示す斜視図である。
【図６】額装された朱印札を示す斜視図である。
【図７】朱印札が屏風型朱印ファイルに納められる状態を示す斜視図である。
【図８】屏風型朱印ファイルに納められた朱印札を示す斜視図である。
【図９】札用紙組の札用紙の表面を示す正面図である。
【図１０】札用紙組の台紙の表面を示す正面図である。
【図１１】台紙に札用紙が積層された札用紙組を示す正面図である。
【図１２】墨書きされた札用紙組を示す正面図である。
【図１３】朱印が押印された朱印札（札用紙組）の表面を示す正面図である。
【図１４】朱印用空白範囲や既成プリント範囲の配置が異なる札用紙組の他の例を示す正面図である。
【図１５】横長の長方形状とされた札用紙組の他の例を示す正面図である。
【図１６】正方形状とされた用紙組の他の例を示す正面図である。
【実施例１】
【００３３】
図１ないし図３に示す事例は一定の縦横寸法内に収まる寸法および外郭形状に設定され、表面１０の中央に、墨および印の吸収が良い紙製であって、寺名、社名、本尊の名称、本殿の名称の少なくとも何れか一つ、および、参拝年月日が墨書き２１されると共に、朱印２２が押印されることとなる朱印用空白範囲２が設定された札用紙１であり、該札用紙１の表面１０の朱印用空白範囲２の余となる範囲に、寺院や神社毎に因んだ特有の画像３０、または、特有の文字の少なくとも何れか一方が予め印刷表示された既成プリント範囲３が設けられてなる、この発明の札用紙における代表的な一実施例を示すものである。
【００３４】
それら各図からも明確に把握できるとおり、この発明の朱印札８用の札用紙１は、その全体が墨および印の吸収が良い和紙からなり、国際規格であるＩＳＯ  ２１６に規定されたＡシリーズのＡ７サイズないしＡ３サイズの何れか一の縦横寸法内に収まる寸法および四角形外郭形状に設定されており、より具体的には、例えば、横幅約２２０ｍｍ、縦約５００ｍｍの和紙からなり、同札用紙１の表面の中央には、朱印用空白範囲２が、横幅が約１３０ｍｍ、縦約１７５ｍｍに設定された、金色や黄色、オレンジ色などの黄系色の太線などの境界表示枠２０のカラープリントによって表示および区画されたものとされている。
【００３５】
そして、該札用紙１の表面の朱印用空白範囲２の余となる範囲は、既成プリント範囲３とされ、同既成プリント範囲３の該朱印用空白範囲２の右下角付近に、その一部が、朱印用空白範囲２に僅かに重なるよう、５羽の雀の画像３１が、鮮やかな色彩でカラープリントされ、さらに、該札用紙１の表面の左下隅に、眠り猫の画像３２が、鮮やかな色彩を伴ってプリントされたものとされた上、該札用紙１の表面の朱印用空白範囲２の余となる範囲であって、しかも既成プリント範囲３全体の５羽の雀の画像３１、および、眠り猫の画像３２の余となる範囲には、具体的には図示していないが、蓮唐草模様３３が、淡い薄い桃色の背景色に、淡い緑灰色の蓮の葉および蓮の蔓、淡く僅かに濃い桃色や淡く僅かに濃い黄色の蓮の花が、背景模様として全体に淡い色彩をもってプリント表示され、既成プリント範囲３の全体に何れかの画像３０（３１，３２，３３）が印刷されたものとなっている。
【００３６】
（実施例１の作用・効果）
以上のとおりの構成からなるこの発明の朱印札８用の札用紙１は、図１ないし図８に示すように、巡礼の対象となる寺院の寺務所や神社の社務所などの夫々に、この発明の基本をなす札用紙１の複数枚が備えられ、各札用紙１は、その既成プリント範囲３に各寺院や神社毎に異なり、しかも夫々の寺院や神社に因んだ特有の画像３０（３１，３２）が印刷表示されたものとされており、朱印札８を求める参拝者が訪れた場合に、各寺院の寺務所や神社の社務所の職員や住職、宮司などによって該札用紙１に墨書き２１および朱印２２の押印が行われることとなり、例えば、図１ないし図３に示すように、札用紙１の境界表示枠２０によって明確に示された朱印用空白範囲２内に、右上配置の参拝、中央に配置された○○○○宮、左がわ配置の参拝年月日の夫々の配置やバランスなどを一切迷うこと無く、速やかに墨書き２１することが可能となり、墨書き２１が乾燥した後に、朱印２２が押印されて完成されたものとなり、大勢の参拝者が一斉に朱印札８を希望した場合にも、札所に因んだ特有の画像３０（３１，３２）を有し、美観に優れた朱印札８をより迅速且つ効率的に授与することが可能となる。
【００３７】
参拝者が、授与された朱印札８を持ち運ぶ場合には、図４に示すように、筒状に丸め、この発明の札用紙１の筒状に丸めた場合の筒型外郭寸法が収納可能な内径および長さに設定された丸筒９０に収めたり、図５および図６に示すように、この発明の札用紙１の外郭寸法が収まる内部寸法の額縁９１に納めたり、図７および図８に示すように、屏風状に折り畳むことができ、両端に固い表紙が設けられ、屏風型の朱印帳のように形成され、頁毎に、この発明の札用紙１の外郭寸法が収まる内部寸法の透明な有底封筒状とされたフォルダ部が設けられた屏風型集印ファイル９２の、透明な有底封筒状とされたフォルダ部に対し、授与された朱印札８を差し替え自在に納めたりして持ち運ぶことが可能な外、図示していない和綴り本型の頁毎に、この発明の札用紙１の外郭寸法が収まる内部寸法の透明な有底封筒状とされたフォルダ部を有する朱印帳のような形態の本型ファイルや、図示していないフォト・アルバム型であって、各頁がこの発明の札用紙１の外郭寸法より僅かに大きな外郭寸法に設定された硬質な台紙からなり、各頁の全面に貼り付け、剥離を繰り返し行える弱粘着フィルムが貼着され、台紙に重ねられた朱印札８の表面に、該弱粘着フィルムが被着された状態に納めることが可能なものとされた朱印帳のような形態のフォト・アルバム型ファイルなどに納めて持ち運ぶことが可能であり、さらにまた、図示していない掛け軸型であって、上下となる両端に水平な棒が設けられた帯布の前面に、この発明の札用紙１の外郭寸法より僅かに大きな外郭寸法に設定された四角形透明シートの左右縁および底部縁が有底封筒状をなすよう貼着され、フォルダ部とされた掛け軸型のファイルに納めて持ち運ぶことが可能であり、この発明の札用紙１を用いて発行された朱印札８を収納可能なこうした各種のファイル９類は、この発明の札用紙１が備え置かれる寺院の寺務所や神社の社務所などの各札所、または、その他の文房具店や百貨店などにて陳列、販売されるものとすることが可能である。                                                                                  
【実施例２】
【００３８】
図９ないし図１３に示す事例は、国際規格であるＩＳＯ  ２１６に規定されたＡシリーズのＡ７サイズないしＡ３サイズの何れか一の縦横寸法内に収まる寸法および外郭形状に設定され、表面の中央に、墨および印の吸収が良い紙製であって、寺名、社名、本尊の名称、本殿の名称の少なくとも何れか一つ、および、参拝年月日が墨書きされると共に、朱印２２が押印されることとなる朱印用空白範囲２が設定された札用紙１であり、該札用紙１の表面１０の朱印用空白範囲２の余となる範囲に、寺院や神社毎に因んだ特有の画像３０、または、特有の文字の少なくとも何れか一方が予め印刷表示された既成プリント範囲３が設けられてなる、この発明の朱印札８用の札用紙１に対し、該札用紙１の裏面１１が積層状に重ね合わせられることとなる表面５０の中央に記入範囲表示部６が、該札用紙１の裏面１１から表面１０に透視可能な濃色に印刷表示されたものとしてなる台紙５が添付されたものとしてなる、この発明の基本をなす朱印札８用の札用紙１を具備した札用紙組における代表的な他の実施例を示すものである。
【００３９】
札用紙組４の札用紙１は、前記実施例１に示されたものと基本的に同一の構造のものとされているが、蓮唐草模様３３が朱印用空白範囲２および既成プリント範囲３を含む該札用紙１の表面の全面の背景柄としてプリントされたものとすることが可能である外、蓮唐草模様３３が全く設けられていないもの、または、朱印用空白範囲２の周囲の既成プリント範囲３に印刷された蓮唐草模様３３が、朱印用空白範囲２に向かうに従って次第に薄くなり、朱印用空白範囲２に達する付近で白紙状に消えた状態にプリントされたものなどとすることができる。
【００４０】
札用紙組４の台紙５は、札用紙１と同一の寸法および外郭形状に設定され、該札用紙１の裏面１１が積層状に重ね合わせられることとなる表面５０の中央に、該札用紙１の朱印用空白範囲２に対応する形状および面積の記入範囲表示部６が、該札用紙１の裏面１１から表面１０に透視可能な例えば黒色や灰色、紫色、茶色、黄色、緑色、赤色などの濃色の図示しない四角形枠線、または、図１０中に斜線で示す四角面にて印刷表示されると共に、該札用紙１の裏面１１が積層状に重ね合わせられることとなる表面５０に、該札用紙１の既成プリント範囲３に表示された画像３０（３１，３２）の輪郭に対応する位置合わせ用の輪郭表示部７が、同図１０中に示すように、白抜き実線輪郭（７）、または、図示しない塗り潰し面によって該札用紙１の裏面１１から表面１０に透視可能な濃色にて印刷表示されたものとなり、さらに、台紙５は、その表面５０に対し、札用紙１の裏面１１が重ね合わせられ、台紙５および該札用紙１の上端縁同士が、剥離された場合に、糊または熱熔着の場合の樹脂成分などの接着成分が、台紙５がわに残り、札用紙１がわに残らないよう、台紙５がわに強く接着され、札用紙１が台紙５から分離容易となる状態に貼着、結合され、一綴りとされたものとなっている。
【００４１】
また、図１４ないし図１６に示すように、札用紙組４の札用紙１および台紙５の形状は、例えば、縦の長方形状、横の長方形状、正方形状、または、図示していない円形状や長円形状、三角形状、台形状、菱形形状、将棋型形状、その他の形状などとすることが可能であり、さらに、台紙５には、輪郭表示部７が設けられておらず、記入範囲表示部６のみが設けられたものとすることができる。
【００４２】
（実施例２の作用・効果）
この発明の札用紙組４は、巡礼の対象となる寺院の寺務所や神社の社務所などの夫々に、札用紙１および台紙５の１枚ずつの上端縁同士が、剥離容易な一綴りとされ、該札用紙組４の複数が、札所である各寺院の寺務所や神社の社務所などに備えられたものとされ、該札用紙組４に綴じられた、この発明の基本をなす札用紙１の表面１０には、図９に示すように、その朱印用空白範囲２が印刷表示されておらず、また、その既成プリント範囲３に各寺院や神社毎に異なり、しかも夫々の寺院や神社に因んだ特有の画像３０（３１，３２）が印刷表示されたものとされている。
【００４３】
そして、朱印札８を求める参拝者が訪れた場合に、各寺院の寺務所や神社の社務所の職員や住職、宮司などによって該札用紙１に墨書き２１および朱印２２の押印が行われることとなるが、台紙５と札用紙１とが一綴りとされた札用紙組４は、図１０に示す、該台紙５の表面５０の記入範囲表示部６が、図１１に示すように、札用紙１の裏面１１から表面１０に透視可能なものとなっているから、札用紙１に設定されてはいるが印刷表示されていない朱印用空白範囲２を、正確に把握することが可能となり、該記入範囲表示部６を透かし見ながら、図１２に示すように、札用紙１の表面１０の印刷表示されていない朱印用空白範囲２内に、右上配置の参拝、中央に配置された○○○○宮、左がわ配置の参拝年月日の夫々の配置やバランスなどを一切迷うこと無く、速やかに墨書き２１することが可能となり、墨書き２１が乾燥した後に、図１３に示すように、朱印２２が押印された上、札用紙１から台紙５を剥離して完成されたものとなり、前記実施例１に示した札用紙１と同様に、大勢の参拝者が一斉に朱印札８を希望した場合にも、美観に優れた朱印札８をより迅速且つ効率的に授与することが可能となる。
【００４４】
さらに、図１４ないし図１６に示すように、札用紙１および台紙５の形状や、札用紙１の朱印用空白範囲２および既成プリント範囲３（画像３０や図示しない文字）の範囲、および、該札用紙１に重ね合わせられる台紙５の記入範囲表示部６および（図１４ないし図１６の実施例には設けられていない輪郭表示部７）などの配置などを、札所毎、または、同一の札所において様々に異なる外郭形状、外郭寸法および画像３０や文字の配置に設定されたものなどが多彩に展開され、参拝者の好みや希望に応じて自由に、夫々の形状、寸法毎に統一感をもって集印することが可能なものとすることができる。
【００４５】
（結  び）
叙述の如く、この発明の巡礼用集印方法、ならびにそれに用いられる札用紙およびそれを具備した札用紙組は、その新規な構成によって所期の目的を遍く達成可能とするものであり、しかも製造も容易で、従前からのもののように、参拝者が持参した朱印帳や、寺院や神社などの札所に備えられている薄い一枚の和紙に朱印を頂くのとは全く異なり、複数箇所の札所の何れかからも、互いに統一感をもって集印可能な朱印札が授与されるものとすることができるから、複数の札所を巡礼しながら、集印する参拝者にとって格別の付加価値が付与されるものとなる上、札所となる各寺務所や社務所の職員や住職、宮司など、朱印札を発行する人々の、作業負担を大幅に軽減すると共に、朱印札の授与作業を格段に効率化することができるから、複数の札所を巡りながらより迅速に、札所毎により個性的且つ美観をもった朱印札の発行を期待する参拝者、および、海外からの観光客の増加などによって今後の朱印札の発行数の増加が見込まれ、より効率的な朱印札の発行技術の提供を希望する寺院や神社などは勿論のこと、こうした多忙を極める札所に札用紙を提供する製紙業界、および、札用紙や朱印帳などを製造販売する文房具業界などにおいても高く評価され、広範に渡って利用、普及していくものになると予想される。                                                                                        
【符号の説明】
【００４６】
１      札用紙
１０    同  表面
１１    同  裏面
２      朱印用空白範囲
２０    同  境界表示枠
２１    同  墨書き
２２    同  朱印
３      既成プリント範囲
３０    同  画像
３１    同  ５羽の雀の画像
３２    同  眠り猫の画像
３３    同  蓮唐草模様
４      札用紙組
５      台紙
５０    同  表面
６      記入範囲表示部
７      輪郭表示部
８      朱印札
９      朱印札用のファイル
９０    同  丸筒
９１    同  額縁
９２    同  屏風型朱印ファイル